(57)【要約】【課題】  原水の濁質性状も反映した低濁度から超高濁度まで適正に凝集剤を注入できる浄水プロセスの運転管理方法を提供することにある。【解決手段】  濁質濃度計２３により原水中の濁質濃度を計測し、予め定められた濁質濃度と凝集剤注入率の関係式に基づいて濁質濃度の計測値に対する単位容積当りの凝集剤注入率を演算し、流量計２１により原水流量を計測して凝集剤注入率と原水流量を乗算して凝集剤注入量を算出し、制御器３４により沈殿池２に凝集剤を注入する注入設備８を制御するものである。又、濁度あるいは濁質濃度の計測値と設定値との比較により、濁度と凝集剤注入率の関係式或いは濁質濃度と凝集剤注入率の関係式に基づいて濁質濃度計測値に対する凝集剤注入率を演算し、低濁度と高・超高濁度で演算指標を変化させて凝集剤注入量を操作するものである。【選択図】図１
2007098287.tif 000002
【特許請求の範囲】
【請求項１】
薬品混和池に接続された原水取入管に設置された濁質濃度計により濁質濃度を計測し、演算器に予め記憶された濁質濃度と単位容積当りの凝集剤注入率との関係式により前記濁質濃度に対応する単位容積当りの凝集剤注入率を演算し、前記原水取入管に設置された流量計により計測された原水流量及び前記演算された単位容積当りの凝集剤注入率により凝集剤注入量を算出し、制御器により注入設備を制御して前記薬品混和池に注入する凝集剤が前記算出された凝集剤注入量となるように調整する浄水プロセスの運転管理方法。
【請求項２】
前記薬品混和池に接続された原水取入管に設置された濁度計及び濁質濃度計により濁度及び濁質濃度を計測し、該計測された濁度或いは濁質濃度が濁度の設定値或いは濁質濃度の設定値以上の場合は、演算器に予め記憶された濁質濃度と単位容積当りの凝集剤注入率との関係式により前記濁質濃度に対応する単位容積当りの凝集剤注入率を演算し、前記原水取入管に設置された流量計により計測された原水流量及び前記演算された単位容積当りの凝集剤注入率により凝集剤注入量を算出し、制御器により注入設備を制御して前記薬品混和池に注入する凝集剤が前記算出された凝集剤注入量となるように調整する浄水プロセスの運転管理方法。
【請求項３】
前記薬品混和池に接続された原水取入管に設置された濁度計及び濁質濃度計により濁度及び濁質濃度を計測し、該計測された濁度或いは濁質濃度が濁度の設定値或いは濁質濃度の設定値より小さい場合は、演算器に予め記憶された濁度と単位容積当りの凝集剤注入率との関係により前記濁質濃度に対応する単位容積当りの凝集剤注入率を演算し、前記原水取入管に設置された流量計により計測された原水流量及び前記演算された単位容積当りの凝集剤注入率により凝集剤注入量を算出し、制御器により注入設備を制御して前記薬品混和池に注入する凝集剤が前記算出された凝集剤注入量となるように調整する浄水プロセスの運転管理方法。
【請求項４】
前記濁度及び濁質濃度から濁度係数を演算し、演算器に記憶された濁度係数と補正注入係数との関係式により演算された濁度係数に対応する補正注入係数を演算し、該演算された補正注入係数、前記単位容積当りの凝集剤注入率、濁質濃度の和を演算して補正された凝集剤注入率を求め、該補正された凝集注入率により凝集剤注入量を算出する請求項２又は３に記載の浄水プロセスの運転管理方法。
【請求項５】
前記薬品混和池にフロック形成池を介して沈殿池が接続されるものであって、該沈殿池の取水管に設置された濁度計に計測された濁度と濁度目標値の偏差を演算し、該演算された偏差に基づいて前記凝集剤注入率を補正する請求項１に記載の浄水プロセスの運転管理方法。
【発明の詳細な説明】
【技術分野】
【０００１】
本発明は、取水原水の濁質に対応して凝集剤を適正に注入し、安定した水質の浄水を得る浄水プロセスの運転管理方法に関する。
【背景技術】
【０００２】
浄水場では、凝集剤を注入して原水中の懸濁物質（以下、濁質という）を結合凝集させて沈殿除去する凝集沈殿処理や砂，膜を用いたろ過処理などにより、浄水を得ている。浄水場では、国内外を問わず濁度を指標に用いた濁質管理が広く採用されている。河川や湖沼などの表流水を原水とする場合、原水の濁質性状、すなわち濁質の種類やその粒径は、流域の地形や地質，気候や気象条件，土地利用形態、及び季節などの要因の影響で変動する。濁度もこれらの要因で大きく変動するため、設定された濁度以下の浄水を得るには凝集剤の注入量を適正に管理する必要があり、凝集剤の注入量の適正な管理が浄水場の重要な日常業務の１つとなっている。
【０００３】
凝集剤の注入量が不足した場合は、濁質との結合凝集塊（以下、フロックという）が成長しないため十分に沈殿せず、後段のろ過処理工程の負担が増大し、捕捉されない微小な濁質が浄水に混入するので、水質が悪化する。凝集剤の注入量が過剰となった場合は、膨潤なフロックが形成され、電気的な反発によって凝集阻害が惹き起され、沈降しにくくなるため、凝集剤の注入量が不足した場合と同様の問題が生じる。このような理由から、原水の濁質が変化した場合に対応した種々の凝集剤の注入方法が提案されている。
【０００４】
例えば、〔非特許文献１〕に記載のように、原水の濁度に、アルカリ度やｐＨ，水温などのフロックが形成される要因を考慮して作成した凝集剤注入式に基づいて、凝集剤の注入量を操作する方法がある。
【０００５】
〔特許文献１〕には、原水濁度に対する高分子凝集剤の注入率を算出する式を、高分子凝集剤の注入率を無機凝集剤の注入率に比例させるとともに予め定めた上限注入率で頭打ちとする算出式Ａと、無機凝集剤の注入率が最大注入率のときに高分子凝集剤の注入率が上限注入率となるように高分子凝集剤の注入率を無機凝集剤の注入率に比例させる算出式Ｂの２つの算出式を設定し、原水濁度の変動の大きさと現在の原水濁度とに応じて、２つの算出式のいずれかを選択して高分子凝集剤の注入率を制御する凝集剤の注入制御方法が開示されている。
【０００６】
〔特許文献２〕には、採取した試料の濁度又は色度を測定し、この測定値に基づいて凝集剤最適添加量を演算し、凝集剤注入ポンプを制御することにより、凝集剤の注入量を最適にコントロールする凝集剤の注入制御方法が開示されている。
【０００７】
〔特許文献３〕には、フロック形成池の出口側のフロックを撮像し、得られた画像認識手段で画像を２値化してフロックの認識を行い、認識されたデータからフロック個数を演算し、得られたフロック個数が目標値以上のとき、注入制御手段により凝集剤注入量を現在の注入量より小さくするようにポンプを制御する凝集剤の注入制御装置が開示されている。
【０００８】
〔特許文献４〕には、取水手段からの原水を送る給送ラインに１次凝集剤注入手段が接続され、１次凝集剤を注入された原水を沈砂池で１００〜１５０度以下の濁度までに沈殿処理し、その２次原水を送る給送ラインに２次凝集剤注入手段を接続し、２次凝集剤を注入された２次原水を移動床砂濾過装置により処理して数度以下の濁度の処理水を得る原水処理装置が開示されている。
【０００９】
〔特許文献５〕には、水中の微粒子の径とその径に対応した個数を測定するパーティクルカウンタと、このパーティクルカウンタにより得られたデータを入力して最適な凝集剤注入量を決定するデータ解析部と、このデータ解析部で得られた凝集剤注入量に応じて凝集剤の注入量を制御する凝集剤注入制御方法が開示されている。
【００１０】
〔特許文献６〕には、流入原水の流入量を測定する流量計と、流入原水の濁度を測定する濁度計と、流入原水に凝集剤を注入する薬注ポンプと、薬注ポンプによる凝集剤注入後の凝集剤注入混和水のｐＨ値を測定するｐＨ計と、流量計と濁度計と導電率計及び流動電流計とｐＨ計のそれぞれの測定値信号を入力し、その入力信号に基づいて流入原水の性状変動に応じた凝集剤注入量となるように制御するポンプ手段を備えた浄水用凝集剤自動注入装置が開示されている。
【００１１】
〔特許文献７〕には、河川流量や水量等の被処理水の取水源の季節変動パラメータと、季節変動パラメータに対応する最適凝集時の荷電状況の測定値との関係式に基づき、季節に応じた荷電状況の目標値を設定し、荷電状況の測定値が目標値に保持されるように凝集剤の注入量を調整する凝集剤注入制御システムが開示されている。
【００１２】
【特許文献１】特開２００２−６６２０９号公報
【特許文献２】特開平５−１４６６０８号公報
【特許文献３】特開平５−２８５３０８号公報
【特許文献４】特開平２０００−３００９１８号公報
【特許文献５】特開平８−１２６８０２号公報
【特許文献６】特開２００２−２３９３０７号公報
【特許文献７】特開２００３−２００１７５号公報
【非特許文献１】日本水道協会「水道維持管理指針」（１９９８年版）
【発明の開示】
【発明が解決しようとする課題】
【００１３】
原水中には粘土性物質，有機性物質，各種微生物や動植物プランクトン，金属性イオンや無機イオン等の物理化学変化によって不溶性化した物質を含め、様々な物質が懸濁している。これらを総称して濁質と呼んでいる。濁質は、透過光，散乱光，表面散乱光、或いはこれらを組合せにより光学的に測定される。濁質の主成分である粘土性物質は負に荷電しており、正に帯電している金属を含む凝集剤を注入することにより、結合・凝集して重力による沈降が可能となるため、沈殿除去できる。
【００１４】
凝集剤を注入することにより生じる反応は、粘土性物質だけでなく、他の濁質成分や溶解性の金属，無機イオン，水温等、多種多様の要因が影響する複雑な反応で、定量化されていない。
【００１５】
〔非特許文献１〕に記載の方法は、フィードフォワード制御で原水の水質の変動に対処しているが、濁質の性状を普遍的なものとして取り扱っているため、特に、降雨時などの性状変化に対応できないなど、適正な注入率を継続的に維持することが困難であるという問題がある。
【００１６】
又、〔特許文献１〕の技術は、例えば、晴天時などの低濁度（〜数十度）と降雨時などの高濁度（数十度〜数百度）で異なる注入式を用意して操作することができるが、低濁度と高濁度の境界付近で不連続な注入率となるため、境界付近では適正な凝集沈殿が行われないという問題があり、また、降雨時と雨が止んだ後で相違する濁質性状の変化に対応できない、さらには、豪雨時や流域条件で数万度になる原水の濁度に対しては対応できないという問題がある。
【００１７】
〔特許文献２〕や〔特許文献３〕の技術では、凝集沈殿処理水の濁度や、凝集剤注入後のフロック形状特徴量を計測し、目標値との偏差をフィードバックして注入率を操作することにより、濁質性状の変化によるフロック形成状態や凝集沈殿特性の相違を反映させることができるが、凝集沈殿された処理水の濁度とフロック形状の特徴量との定量的関係が解明されていないため、すなわち、凝集剤が過剰の場合、或いは不足の場合でも処理水の濁度が増加するため、処理水の濁度計測値では、凝集剤の注入率を増加するか減少するかの判断をすることができないという問題がある。
【００１８】
〔特許文献４〕の技術では、超高濁度（数百度〜数千度）の原水に対応して、浄水場への原水の給送ラインに凝集剤を事前に注入して、場内での注入対象水の濁度を所定範囲内に減少させることができるが、濁質の性状については配慮されていなく、適正な注入率を継続的に維持することが困難である。
【００１９】
〔特許文献５〕の技術では、粒子数を正確に計測できることを前提としているが、数千度以上となる高濁度原水の粒子数を正確に計測することは困難であるという問題がある。又、原水を一時貯留させた後に凝集剤を注入して高濁度の原水を沈澱処理する場合についての本発明者らの実験によれば、単位濁質量を凝集沈殿させるための凝集剤量は、粒径範囲が同じでも変化することが示された。このため、〔特許文献５〕の技術では、高濁度の原水のプロセスに適用困難であるという問題がある。
【００２０】
〔特許文献６〕の技術では、凝集剤注入後の凝集剤注入混和水のｐＨ値等により流入原水の性状変動に応じた凝集剤注入量となるように制御するものであるが、濁質の性状について配慮されていなく適切な注入率を継続的に維持することが困難である。
【００２１】
〔特許文献７〕の技術は、季節変動パラメータに対応して、季節に応じた荷電状況の目標を設定するものであるが、濁質の性状について配慮されていなく適切な注入率を継続的に維持することが困難である。
【００２２】
ところで、浄水場は年中無休で連続運転されており、原水の濁質，水質は様々な要因で大きく変化する。このように、浄水場では連続運転、刻々変化する濁質性状を考慮した運転管理が必要であり、このためには、実用化され、簡易でメンテナンス性もよく、信頼性の高い計測器で濁質性状を把握し、数度の低濁度から数千度の超高濁度にも対応できる凝集剤の注入管理が望まれている。
【００２３】
本発明の第１の目的は、原水の濁質性状も反映した低濁度から超高濁度まで適正に凝集剤量を注入できる浄水プロセスの運転管理方法を提供することにある。
【００２４】
本発明の第２の目的は、突発的濁質変化や雨天後の濁質変化にも適正な凝集剤量を注入でき、安定した良質の凝集沈殿処理水を供給できる浄水プロセスの運転管理方法を提供することにある。
【課題を解決するための手段】
【００２５】
本発明は、上記目的を達成するために、薬品混和池に接続された原水取入管に設置された濁質濃度計により濁質濃度を計測し、演算器に予め記憶された濁質濃度と単位容積当りの凝集剤注入率との関係式により前記濁質濃度に対応する単位容積当りの凝集剤注入率を演算し、原水取入管に設置された流量計により計測された原水流量及び演算された単位容積当りの凝集剤注入率により凝集剤注入量を算出し、制御器により注入設備を制御して前記薬品混和池に注入する凝集剤が前記算出された凝集剤注入量となるように調整するものである。
【００２６】
又、計測された濁度或いは濁質濃度が濁度の設定値或いは濁質濃度の設定値の比較により、濁質濃度と単位容積当りの凝集剤注入率との関係式と、濁度と単位容積当りの凝集剤注入率との関係式とを切替えるものである。
【００２７】
濁度及び濁質濃度から濁度係数を演算し、濁度係数と補正注入係数との関係式により演算された濁度係数に対応する補正注入係数を演算して補正された凝集剤注入率を求めるものである。
【００２８】
又、濁度と濁度目標値の偏差偏差に基づいて凝集剤注入率を補正するものである。
【発明の効果】
【００２９】
本発明によれば、高・超高濁度において、原水の濁質性状が変化しても適正な凝集剤量を注入でき、安定した良質の凝集沈殿処理水を提供できる効果がある。
【発明を実施するための最良の形態】
【００３０】
濁質濃度に基づいて凝集剤注入量を求めることにより、低濁度から超高濁度まで凝集剤を適正に注入できる浄水プロセスの運転管理方法を提供する。以下、本発明の実施形態を図面により説明する。
【実施例１】
【００３１】
本発明の実施例１を図１〜図３により説明する。図１は、浄水プロセスの構成図である。
【００３２】
図１に示すように、薬品混和池２に接続された原水取入管１には、流量計２１，濁質濃度計２３が順次接続されている。流量計２１は演算器３３に直接接続され、濁質濃度計
２３は凝集剤注入率を演算する演算器３２と接続され、演算器３２は演算器３３と接続されている。ここで、流量計や濁度計，濁質濃度計は実用化されているものを用いることができるので、信頼性の高い凝集剤注入管理を実現できる。
【００３３】
凝集剤の貯槽７は凝集剤の注入設備８と接続され、さらに流量計２４を介して薬品混和池２に設けられた凝集剤の注入管９が接続されている。演算器３３は制御器３４と接続され、制御器３４は、流量計２４での計測値をフィードバックするように信号線が接続されるとともに、注入設備８に接続されている。注入設備８は弁、或いは流量可変型ポンプで構成される。
【００３４】
薬品混和池２には攪拌機２０１が設置され、薬品混和池２は、攪拌機３０１が設置されたフロック形成池３に接続されている。フロック形成池３は沈殿池４に接続され、沈殿池４の下部には廃泥液を排出するための排出管６が設けられ、沈殿池４の上部には、濁質が除去された処理水（沈殿上澄液ともいう）を取出すための取水管５が設けられている。
【００３５】
濁質を含有した原水は、原水取入管１から薬品混和池２に流入する際に、流量計２１により流量が計測され、濁質濃度計２３で濁質濃度ＳＳｉが計測される。計測された濁質濃度ＳＳｉは演算器３２に入力され、数１により濁質濃度ＳＳｉに対する凝集剤注入率Ｃｐを演算する。ここで、ａ，ｋは定数である。
（数１）
Ｃｐ＝ａ・ＳＳｉk                                                   （１）
図２及び図３は、本発明者らが初期濁度を２００から５０００度（濁質濃度で１０００から２５０００mg／Ｌ）の範囲で変化させて凝集沈殿上澄濁度が１度となる凝集剤注入率を求めた実験結果である。図２は、濁質濃度ＳＳを横軸に、凝集剤注入率Ｃｐを縦軸にとって整理したものであり、図３は、横軸に濁度を横軸に、凝集剤注入率Ｃｐを縦軸にとって整理したものである。
【００３６】
図２，図３から分るように、濁質濃度ＳＳを横軸にとって整理した場合は、各実験点が１つの曲線で近似され、濁質性状の影響がなく、数１で表すことができるが、濁度を横軸にとって整理した場合は、実験点は１つの曲線で近似できなく、濁質性状が変化すると係数の異なる指数式となる。すなわち、高濁度及び超高濁度の場合、濁質性状が同じであれば特定の指数式で表現できるが、濁度を指標とした近似式では濁質性状により凝集剤の過不足が生じる場合がある。このため、本実施例では、濁質濃度ＳＳを指標とした図２に示す数１を適用しており、適正な凝集剤を注入できる。
【００３７】
演算器３３では、演算器３２で求められた単位容積量当りの凝集剤注入率Ｃｐと、流量計２１で計測された原水流量Ｑと、凝集剤注入率Ｃｐと原水流量Ｑとを乗算して凝集剤注入量Ｑｐを演算する。制御器３４は、演算された凝集剤注入量Ｑｐと流量計２４で計測された凝集剤の注入操作量Ｑｐ′の偏差に基づいて凝集剤の注入設備８を調節する。
【００３８】
凝集剤の注入設備８から注入される凝集剤には、アルミニウム系や鉄系などの無機系や高分子系が用いられる。薬品混和池２では、攪拌機２０１により凝集剤が原水に均質に混合され、濁質と凝集剤が結合してフロックの核となるマイクロフロックを形成する。マイクロフロックは、フロック形成池３で攪拌機２０１より緩速で運転される攪拌機３０１によって攪拌されて成長し、粗大なフロックとなる。粗大となったフロックは沈殿池４で沈降し、濁質が除去された上澄液、すなわち凝集沈殿池の処理水として取水管５からさらに後段の処理設備に送られ、ろ過や殺菌処理を受けた後、浄水として配水される。沈殿池４で沈降分離したフロックは排泥液として系外に排出される。
【００３９】
このように、原水の濁質性状に対応した凝集剤注入係数を設定することができ、凝集剤注入量が適正に操作されるので、良好な沈殿池処理水を提供できる。
【実施例２】
【００４０】
本発明の実施例２を図４により説明する。本実施例は実施例１と同様に構成されているが、本実施例では、原水取入管１に濁度計２２を設け、濁度計２２と濁質濃度計２３を判定器３１に接続し、判定器３１を演算器３２に接続している。
【００４１】
濃度計２２で計測された原水の濁度Ｔｕｉと、濁質濃度計２３で計測された濁質濃度
ＳＳｉが判定器３１に入力される。
【００４２】
判定器３１には、予め濁度の設定値Ｍｔ、或いは濁質濃度の設定値Ｍｓが入力されており、計測された濁度Ｔｕｉ＜濁度の設定値Ｍｔ、或いは濁質濃度ＳＳｉ＜濁質濃度の設定値Ｍｓの場合は、濁度を指標として凝集剤注入率を演算する信号を演算器３２に出力する。計測された濁度Ｔｕｉ≧濁度の設定値Ｍｔ、或いは濁質濃度ＳＳｉ≧濁質濃度の設定値Ｍｓの場合は、濁質濃度を指標として凝集剤注入率を演算する信号を演算器３２に出力する。ここで、濁度の設定値Ｍｔ、或いは濁質濃度の設定値Ｍｓは、水源状態に合わせて設定でき、例えば２００度，１０００mg／Ｌに設定する。
【００４３】
演算器３２では、濁度を指標として凝集剤注入率を演算する信号が入力された場合は、予め入力されている濁度を変数とした数式により凝集剤注入率Ｃｐを演算し、濁質濃度指標として凝集剤注入率を演算する信号が入力された場合は、数１により凝集剤注入率Ｃｐを演算して演算器３３に出力する。演算器３３及び制御器３４は、実施例１と同様の演算を行い、凝集剤の注入設備８の制御を行う。
【００４４】
濁りの状態、すなわち濁質を形成する物質は、低濁度と高濁度及び超高濁度で変化する。低濁度の場合、粘土性物質に比べてそれ以外の物質の比率が高く、種々の物質が濁りに影響するので、濁度を指標としている。高濁度や超高濁度になるのは降雨や水流によって流域の土砂が流出する影響で、濁質の大半を粘土性物質が占める。粘土性物質が主として濁りとなる高濁度や超高濁度では、粒径などの影響を受けない濁質濃度を指標にして凝集剤を注入する。
【００４５】
このように、低濁度は濁度で、高濁度や超高濁度は濁質濃度を指標とすることで、適正な凝集沈殿を維持できる。
【実施例３】
【００４６】
本発明の実施例３を図５，図６により説明する。本実施例は、実施例２と同様に構成されているが、本実施例では、濁質性状を演算する演算器３５を設け、演算器３５は判定器３１と演算器３２とを接続している。
【００４７】
濁度計２２で計測された濁度Ｔｕｉと、濁質濃度計２３で計測された濁質濃度ＳＳｉとは、判定器３１に入力され、判定器３１を介して演算器３５に入力される。演算器３５では、濁度係数Ｄ＝濁質濃度ＳＳｉ／濁度Ｔｕｉを演算し、演算器３２に出力する。
【００４８】
判定器３１では、実施例２と同様にして凝集剤注入率Ｃｐを演算して演算器３２に出力する。演算器３２では、演算器３５で演算された濁度係数Ｄに基づいて凝集剤注入率Ｃｐの補正を行う。
【００４９】
図６は、濁度係数Ｄと補正注入係数ｆの関係を示す図で、濁度係数Ｄの基準値からの偏差により補正注入係数ｆを設定し、補正された凝集剤注入率Ｃｐ* を凝集剤注入率Ｃｐ＋補正注入係数ｆ＋濁質濃度ＳＳｉで算出して演算器３３に出力する。演算器３３及び制御器３４は、実施例１と同様の演算を行い、凝集剤の注入設備８の制御を行う。
【００５０】
濁度係数Ｄは濁質の粒径と正の相関があり、濁度係数Ｄが小さくなれば粒径も小さく、沈殿し難い濁質が多いことになる。この補正よって、粒径が小さい場合に注入率を増加させて凝集沈殿効果を高め、逆に粒径が大きい場合に沈降し易い濁質と判断し、凝集剤を低減できる。
【００５１】
実験によれば、補正注入係数ｆは濁質濃度ＳＳｉの影響を受けるので、濁質濃度ＳＳｉの関数としてもよい。また、濁度係数Ｄによる補正は、濁度を指標とする場合も同様に実施できる。
【実施例４】
【００５２】
本発明の実施例４を図７により説明する。本実施例は、実施例１と同様に構成されているが、本実施例では、沈殿池４に接続された取水管５に濁度計２２Ｂを設置し、濁度計
２２Ｂの計測値をフィードバックする注入率補正器３６を設け、注入率補正器３６を演算器３２及び演算器３３に接続している。
【００５３】
濁度計２２Ｂにより取水管５を流れる処理水の濁度Ｔｕｏを計測し、濁度Ｔｕｏを注入率補正器３６に入力して演算器３２で演算された凝集剤注入率Ｃｐを補正する。演算器
３２には処理水の濁度目標値Ｔｕｏ* が入力されており、濁度偏差ΔＴｕ＝濁度Ｔｕｏ−濁度目標値Ｔｕｏ* を求め、補正係数θを乗じて補正注入率ΔＣｐ＝θ・ΔＴｕを演算し、凝集剤注入率Ｃｐと加算して凝集剤注入率Ｃｐ* を求め、演算器３３に出力する。
【００５４】
この補正により、濁質性状や原水液質が変化して凝集沈殿特性に影響を与えた場合も凝集沈殿処理水の濁度を目標値に維持できる。
【００５５】
以上の説明では、濁質濃度あるいは濁度と凝集剤注入率の関係を、凝集沈殿処理水の濁度を１度として説明したが、この濁度に限定されるものでなく、プロセス構成や製造水の用途に応じた設定できる。
【産業上の利用可能性】
【００５６】
本発明は、凝集剤混和池，フロック形成池及び沈殿池から構成される一般的な浄水プロセスの他に工業用水を製造するプロセス、沈殿池の後段に砂ろ過や膜利用のろ過設備を有する浄水プロセス、後段にオゾン処理などの高度処理設備を付加した浄水プロセスにも適用できる。
【００５７】
又、濁質濃度あるいは濁度と凝集剤注入率を入力し、特性式を演算する機能を凝集剤注入率演算器に持たせることでジャーテスト結果を反映した運転管理ができる。
【図面の簡単な説明】
【００５８】
【図１】本発明の実施例１である浄水プロセスの構成図である。
【図２】本実施例における濁質濃度と凝集剤注入率の関係を示す図である。
【図３】本実施例で補足説明する濁度と凝集剤注入率の関係を示す図である。
【図４】本発明の実施例２である浄水プロセスの構成図である。
【図５】本発明の実施例３である浄水プロセスの構成図である。
【図６】本実施例における補正注入の一例を説明する図である。
【図７】本発明の実施例４である浄水プロセスの構成図である。
【符号の説明】
【００５９】
１…原水取入管、２…薬品混和池、３…フロック形成池、４…沈殿池、５…取水管、６…排出管、７…貯槽、８…注入設備、９…注入管、２１，２４…流量計、２２，２２Ｂ…濁度計、２３…濁質濃度計、３１…判定器、３２，３３，３５…演算器、３４…制御器、３６…注入率補正器。
【図１】
2007098287.tif 000003
【図２】
2007098287.tif 000004
【図３】
2007098287.tif 000005
【図４】
2007098287.tif 000006
【図５】
2007098287.tif 000007
【図６】
2007098287.tif 000008
【図７】
2007098287.tif 000009